(57)【要約】【課題】つば付き帽子において、見栄えを低下させることなく頭の大きさに合わせて頭回りを調整する。【解決手段】クラウン２および該クラウン２の下端周縁部に縫製されたブリム３からなる帽子１において、クラウン２の腰２１からブリム３にかけて左右にそれぞれスリットＳが形成され、また、各スリットＳによってそれぞれ前後に分離された一方のブリム３Ｂに挿入部３１が延設されるとともに、他方のブリム３Ｆが、一方のブリム３Ｂの挿入部３１を収容可能な筒状に形成され、さらに、一方のブリム３Ｂの挿入部３１の裏面に面ファスナー５Ａが設けられるとともに、他方のブリムの開口部近傍の内面に、一方のブリム３Ｂの挿入部３１に設けた面ファスナー５Ａと互いに付着可能な面ファスナー５Ｂが設けられる。【選択図】  図２
0003114123.tif 000002
【実用新案登録請求の範囲】
【請求項１】
クラウンおよび該クラウンの下端周縁部に縫製されたブリムからなる帽子において、クラウンの腰からブリムにかけて少なくとも１個のスリットが形成され、また、スリットによって分離された一方のブリムに挿入部が延設されるとともに、他方のブリムが、一方のブリムの挿入部を収容可能な筒状に形成されていることを特徴とする帽子。
【請求項２】
前記一方のブリムの挿入部の裏面に面ファスナーが設けられるとともに、他方のブリムの開口部近傍の内面に、一方のブリムの挿入部に設けた面ファスナーと互いに付着可能な面ファスナーが設けられていることを特徴とする請求項１記載の帽子。
【請求項３】
前記クラウンの下端部外周面に、長さを調節自在なまきが設けられていることを特徴とする請求項１または請求項２記載の帽子。
【考案の詳細な説明】
【技術分野】
【０００１】
この考案は、帽子、特に、頭の大きさに合わせて頭回りを調整できる帽子に関するものである。
【背景技術】
【０００２】
一般に、タウン、スポーツ（アウトドア）などに際して、頭部を覆って寒さや暑さから守るため、帽子を着用することが多い。帽子は、頭の大きさに合わせて、Ｓ，Ｍ，Ｌの各サイズ毎に用意されているが、カジュアル目的で使用する多くの帽子は、頭の大きさに対応できるようにフリーサイズとなっている。例えば、キャップなどのように、山の後面に切り込みを形成し、切り込みを挟んで一方の山側に面ファスナーを有するベルトを設ける一方、他方の山側に、一方の山側に設けた面ファスナーと互いに付着可能な面ファスナーを設け、切り込みを跨いで面ファスナー同士を付着させることにより、切り込みの範囲内において頭の大きさに合わせて頭回りを調整できる帽子が提案されている（例えば、特許文献１参照）。
【特許文献１】特開２０００−１４４５１３号公報
【考案の開示】
【考案が解決しようとする課題】
【０００３】
ところで、前述した帽子にあっては、頭の大きさに合わせて頭回りを調整している状態、すなわち、面ファスナー同士が付着した状態が露出し、見栄えが低下するという問題があった。
【０００４】
一方、女性がカジュアル目的で帽子を着用する場合には、紫外線による日焼け防止という観点から、通常、つば付きの帽子を用いることが多い。このような女性用帽子においては、ファッション性も重要な選択肢となることから、面ファスナーなどの調整手段が露出するときには、ファッション性が低下し、購買意欲を損なうものとなる。
【０００５】
本考案は、このような問題点に鑑みてなされたもので、見栄えを低下させることなく頭の大きさに合わせて頭回りを調整することができる帽子を提供するものである。
【課題を解決するための手段】
【０００６】
本考案は、クラウンおよび該クラウンの下端周縁部に縫製されたブリムからなる帽子において、クラウンの腰からブリムにかけて少なくとも１個のスリットが形成され、また、スリットによって分離された一方のブリムに挿入部が延設されるとともに、他方のブリムが、一方のブリムの挿入部を収容可能な筒状に形成されていることを特徴とするものである。
【０００７】
本考案によれば、一方のブリムの挿入部を他方のブリムの開口部を通して内部にそれぞれ挿入し、その挿入度合いを調整することにより、帽子の頭回りを調整することができる。この際、挿入部は、他方のブリムの内方に収容されているため、外部に露出せず、見栄えを損なうことがない。
【０００８】
本考案において、前記一方のブリムの挿入部の裏面に面ファスナーが設けられるとともに、他方のブリムの開口部近傍の内面に、一方のブリムの挿入部に設けた面ファスナーと互いに付着可能な面ファスナーが設けられていると、面ファスナー同士を重なり代を調整して付着させることにより、帽子の頭回りを調整することができ、その調整位置に保持することができる。この場合も、面ファスナーは、他方側のブリムの内方において付着しているため、外部に露出せず、見栄えを損なうことがない。
【０００９】
本考案において、前記クラウンの下端部外周面に、長さを調節自在なまきが設けられていると、まきの長さを調整することにより、必要以上のスリットの開き出しを規制することができ、好ましい。
【考案の効果】
【００１０】
本考案によれば、見栄えを低下させることなく頭の大きさに合わせて頭回りを調整することができる。
【考案を実施するための最良の形態】
【００１１】
以下、本考案の実施の形態を図面に基づいて説明する。
【００１２】
図１および図２には、本考案の帽子１の一実施形態が示されている。
【００１３】
この帽子１は、クラウン２および該クラウン２と一体に縫製されたブリム３と、から構成されており、クラウン２の腰２１には、長さを調整自在なまき４が取り付けられている。そして、クラウン２の腰２１からブリム３にかけて左右にスリットＳが形成されており、クラウン２の腰２１およびブリム３は、前後に２分割されている。また、スリットＳによって前後に分割されたブリム３のうち、後方側のブリム３Ｂの両端には、ブリム３の幅寸法よりも若干小幅の挿入部３１が一体に延設されている他、前方側のブリム３Ｆは筒状に形成されて、前述した後方側のブリム３Ｂの各挿入部３１がそれぞれ挿入できるようになっている。
【００１４】
このように構成された帽子１を使用する場合は、前方側のブリム３Ｆから後方側のブリム３Ｂの挿入部３１を徐々に引き出し、帽子１の頭回りを頭の大きさに合わせて調整すればよい。頭回りの調整が終了すれば、まき４についても、頭回りに合わせて止着位置を調整する。この場合、まき４の長さをバックルなどで規制すれば、スリットＳが必要以上に開き出すことを防止することができる。
【００１５】
この結果、後方側のブリム３Ｂの各挿入部３１を前方側のブリム３Ｆの各開口部を通して内部にそれぞれ挿入することにより、帽子１の頭回りの調整を行なうことができる。しかも、頭回りの調整する挿入部３１は、前方側のブリム３Ｆの内部に収容されるため、外部からは調整状態を把握することができず、見栄えを損なうことがない。
【００１６】
ところで、前述した実施形態においては、後方側のブリム３Ｂの各挿入部３１を前方側のブリム３Ｆの各開口部を通して内部にそれぞれ挿入することにより、帽子１の頭回りを調整する場合を例示したが、使用時において、後方側のブリム３Ｂの各挿入部３１が前方側のブリム３Ｆの各開口部から離脱するおそれがある。
【００１７】
図３には、このような事態に対応できるように、頭回りを調整した場合に、その調整された頭回りに保持することができる帽子１が示されている。
【００１８】
この帽子１は、前述した実施形態の帽子１の構成に加え、さらに、後方側のブリム３Ｂの両端に延設された各挿入部３１の裏面に、それぞれ面ファスナー５Ａが取り付けられ、一方、筒状に形成された前方側のブリム３Ｆの開口部近傍の内面に、各後方側のブリム３Ｂの挿入部３１に設けた面ファスナー５Ａと互いに付着可能な面ファスナー５Ｂが取り付けられたものである。
【００１９】
このような帽子１を使用する場合は、まず、前方側のブリム３Ｆの面ファスナー５Ｂと、後方側のブリム３Ｂの挿入部３１の面ファスナー５Ａとの付着状態を解除し、前方側のブリム３Ｆから後方側のブリム３Ｂの挿入部３１を引き出した後、後方側のブリム３Ｂの各挿入部３１を前方側のブリム３Ｆの各開口部を通して内部にそれぞれ挿入し、前方側のブリム３Ｆに設けた面ファスナー５Ｂに後方側のブリム３Ｂの各挿入部３１に設けた面ファスナー５Ａを付着させる。この際、面ファスナー５Ａ，５Ｂによる付着位置を加減することにより、帽子１の頭回りを頭の大きさに合わせて調整することができる。
【００２０】
この帽子においても、後方側のブリム３Ｂの各挿入部３１を前方側のブリム３Ｆの各開口部を通して内部にそれぞれ挿入し、前方側のブリム３Ｆに設けた面ファスナー５Ｂに後方側のブリム３Ｂの各挿入部３１に設けた面ファスナー５Ａを付着させることにより、帽子１の頭回りの調整を行なうことができる。しかも、頭回りを調整する面ファスナー５Ａ，５Ｂは、前方側のブリム３Ｆの内部において付着されているため、外部に露出せず、見栄えを損なうことがない他、調整された頭回りを保持することができる。
【００２１】
なお、前述した実施形態においては、クラウン２の腰２１からブリム３にかけて左右２カ所にスリットＳを形成した場合を例示したが、スリットＳの数は２個に限定するものではなく、左右いずれか一方または後方の１カ所であってもよい。
【図面の簡単な説明】
【００２２】
【図１】本考案の帽子の一実施形態を示す斜視図である。
【図２】図１の帽子の頭回りを調整する状態を示す斜視図である。
【図３】本考案の帽子の変形例を示す斜視図である。
【符号の説明】
【００２３】
１  帽子
２  クラウン
３  ブリム
３Ｆ  前方側のブリム
３Ｂ  後方側のブリム
３１  挿入部
４  まき
５Ａ，５Ｂ  面ファスナー
Ｓ  スリット
【図１】
0003114123.tif 000003
【図２】
0003114123.tif 000004
【図３】
0003114123.tif 000005